(57)【特許請求の範囲】
【請求項１】
ケーブルが定着される支柱又は橋桁の定着部を、外筒管と絞り部を有しない保護管とで構成し、該保護管の一端部に所定数の貫通孔を有する定着ブロックを配設すると共に他端部に前記貫通孔と対応する挿通孔を有する止水機構を設けた構成とし、これら対応する貫通孔と挿通孔とに夫々所定長さで且つ一端にケーブルの連結部を有するリードワイヤーを挿通させた後に、前記保護管を前記外筒管の一端部から挿着して取り付け、該外筒管の他端部において交差防止治具を用い、挿通されている各リードワイヤーの端部を前記定着ブロックの貫通孔の位置関係に従って支持することにより各リードワイヤーを平行状態に維持して支持させ、各リードワイヤー毎にケーブルを連結させて挿通させることを特徴とするケーブルの架設方法。
【請求項２】
止水機構がケーブルの直線状態を保つためのスペーサーと止水を遂行するための弾性体とからなる請求項１に記載のケーブルの架設方法。
【請求項３】
交差防止治具には、複数枚の板材の隣接位置に円弧状の切欠部からなる丸孔を形成した請求項１に記載のケーブルの架設方法。
【請求項４】
保護管に挿通させたリードワイヤーは、その一端が仮止めされている請求項１に記載のケーブルの架設方法。
【請求項５】
ケーブルがＰＣ鋼より線である請求項１、２、３又は４に記載のケーブルの架設方法。
【発明の詳細な説明】
【０００１】
【産業上の利用分野】
本発明は、斜張橋等における支柱と橋桁との間に多数本張設される斜材、即ちＰＣ鋼より線からなるケーブルを緊張して定着させる際に、ケーブルの交差が生じないように架設する方法に関する。
【０００２】
【従来の技術】
この種の斜張橋におけるケーブルの架設手段として、定着部に対するケーブルの挿通技術は、例えば▲１▼特公平４−１１６８３号公報に開示された架設工法、及び▲２▼特開平６−２６０１１号公報に開示されたケーブル装着用案内装置が従来例として公知である。
【０００３】
前記▲１▼の従来例においては、支柱と橋桁とに渡って張設されるケーブルの橋桁側の定着部に固定シースが設けられ、該固定シースの端部に設けられたアンカーヘッドにインデックス孔を設け、該インデックス孔に予めリードロープを挿通させておき、該リードロープの先端に設けたリードキャップにケーブルの端部を嵌着し、リードロープの案内によってケーブルをインデックス孔に誘導させるようにしたものである。
【０００４】
また、前記▲２▼の従来例においても、前記▲１▼の従来例と同様の外套管ヘビーチューブ及びパイロットワイヤーが使用され、該パイロットワイヤーを予め定着ブロックの貫通孔に挿通して外套管ヘビーチューブ内に配設しておき、そのパイロットワイヤーの先端に設けられたスリーブ内に磁石を設け、該磁石にケーブルの先端を吸着させて外套管ヘビーチューブ内及び定着ブロックの貫通孔にケーブルを挿通させるようにしたものである。
【０００５】
そして、いずれの従来例においても、固定シース内又は外套管ヘビーチューブ内においてケーブルの絞り部を有している。これら絞り部の内径寸法は、例えば外径が１５．２ｍｍのＰＣ鋼７本より線を用いた場合に、３７本を一条としたＰＣ鋼より線が架設される場合には略１５０ｍｍであり、７３本で略２００ｍｍである。そして、アンカーヘッド部におけるＰＣ鋼より線の外接円径は、３７本で略２２０ｍｍ、７３本で略３００ｍｍである。
【０００６】
【発明が解決しようとする課題】
前記▲１▼の従来例においては、固定シースとアンカーヘッドとの間に、ソケットが設けられていて、張設されたケーブルが固定シース内において絞られる構成になっており、特に外周部に位置するケーブルは、その挿通方向が屈曲するようになり、ケーブルの挿通空間が更に狭めらている。
【０００７】
また、前記▲２▼の従来例においても、外套管ヘビーチューブの内部に設けられたトランペット管によって、張設されるケーブルが定着ブロックの手前で屈曲し、絞られる構成になっている。
【０００８】
いずれの従来例においても、予め配設したリードロープ又はパイロットワイヤーによって、張設される多数本のケーブルを順次ガイドしてインデックス孔又は定着ブロックの貫通孔に挿通するものであるが、絞り部の存在によってケーブルが屈曲すること、及びケーブルの挿通本数が最終本数に近くなると、先に挿通したケーブルによって絞り部の空間が狭くなっていること、更には絞り部から固定シース又は外套管ヘビーチューブの開口部まで相当な間隔があることにより、ケーブル同士が交差する事態がしばしば生じていた。
【０００９】
このようなケーブル同士の交差があると、架設後においてケーブル間で擦れ現象が生じ、その擦れ部分でケーブルが疲労破断すると言う重大な問題点を有している。
【００１０】
従って、前記従来例においては、定着部側におけるケーブルが交差しないで適正に挿通されることに解決しなければならない課題を有している。
【００１１】
【課題を解決するための手段】
前記従来例の課題を解決する具体的手段として本発明は、ケーブルが定着される支柱又は橋桁の定着部を、外筒管と絞り部を有しない保護管とで構成し、該保護管の一端部に所定数の貫通孔を有する定着ブロックを配設すると共に他端部に前記貫通孔と対応する挿通孔を有する止水機構を設けた構成とし、これら対応する貫通孔と挿通孔とに夫々所定長さで且つ一端にケーブルの連結部を有するリードワイヤーを挿通させた後に、前記保護管を前記外筒管の一端部から挿着して取り付け、該外筒管の他端部において交差防止治具を用い、挿通されている各リードワイヤーの端部を前記定着ブロックの貫通孔の位置関係に従って支持することにより各リードワイヤーを平行状態に維持して支持させ、各リードワイヤー毎にケーブルを連結させて挿通させることを特徴とするケーブルの架設方法を提供するものであり、前記止水機構がケーブルの直線状態を保つためのスペーサーと止水を遂行するための弾性体とからなること；及び前記交差防止治具には、複数枚の板材の隣接位置に円弧状の切欠部からなる丸孔を形成したこと；を含むものである。
【００１２】
【作用】
保護管に絞り部がないこと、及び予め保護管にリードワイヤーを適正な状態で配設した後に、外筒管に挿着するようにし、外筒管においてはその他端部で交差防止治具を使用して、各リードワイヤーを平行状態に維持して支持するようにし、各リードワイヤーで対応するケーブルを１本づつ個々に引き出すようにしたことにより、各ケーブルが保護管から外筒管および交差防止治具に渡って、全てが適性に且つ平行状態を維持して挿通されることで、定着部において多数本のケーブルが挿通されても交差することがなくなるのである。
【００１３】
【実施例】
次に、本発明を図示の実施例に基づき更に詳しく説明する。図１は斜張橋を略示的に示したものであり、斜張橋は、橋桁１に対して支柱２が上部に所定長さ突出した状態で形成され、その橋桁１と支柱２間に複数条の斜材３が両側に緊張配設され、橋桁１が斜材３を介して支柱２で支持されるようになっている。
【００１４】
本発明は、このような斜張橋における斜材３の緊張定着の際に、ケーブルが交差しないように架設する方法に関するものであり、架設される一条の斜材３は多数本のケーブルから構成されている。このケーブルは例えばＰＣ鋼より線であり、その両端部は橋桁１と支柱２とにおいて夫々適宜の定着体で同様の定着手段により固定されるものである。
【００１５】
図２に本発明の方法に使用される交差防止治具４を示してある。この交差防止治具４は、一条の斜材３が例えば１９本のＰＣ鋼より線、即ちケーブルで構成されている場合に使用されるものである。
【００１６】
この交差防止治具４は、コ字状に形成されたフレーム材５と、該フレーム材に着脱自在に装備される複数枚の板材６とから構成されている。フレーム材５は例えばチャンネル材で形成され、その内側に沿って溝７を有する、所謂断面がコ字状を呈するものである。
【００１７】
板材６は、所定の幅及び厚さを有し、その両端部が前記フレーム材５の溝７に案内されて複数枚が隣接状態に配設されるようになっている。そして、各板材６の隣接位置、即ち、板材６の長手方向に沿って片側又は両側に円弧状の切欠部８ａ，８ｂが所定の間隔及び配列をもって形成され、隣接同士の板材６に設けられたこれら切欠部が、一致したところで丸孔８が形成される。この丸孔８は一条の斜材３を構成する個々のケーブルが挿通できる大きさになっている。
【００１８】
図示の実施例においては、１９本のケーブルが挿通できるものであるため、例えば７枚の板材６を使用して、１９個の丸孔８を形成させたものであり、これら丸孔８はケーブルの端部が固定される定着ブロック等に設けられた貫通孔に、その配列又は座標が略対応するようにしてある。
【００１９】
ケーブルが挿通される丸孔８は、複数枚の板材６を組み合わせることにより、一条の斜材３を構成するケーブルの本数に対応させることができるのである。そして、板材６で形成される丸孔８は、ケーブルの本数に対応させることが好ましいが、２〜３個程度多くても使用可能である。この場合の使用に際しては、できるだけ上下の端部に位置する丸孔を残すようにして使用した方が良い。
【００２０】
尚、図中の符号９はストッパー板であり、適宜の係止手段９ａによりフレーム材５に着脱自在に係止され、板材６が抜け出さないように支持している。また、１０は吊垂紐であり、適宜の位置に吊垂して保持することができるようにしてある。そして、必要があれば前記各丸孔に対して定着ブロック等の定着順位を表示する、所謂インデックス番号等を付すこともできる。
【００２１】
このように構成された本発明の交差防止治具４は、例えば図３に示したように使用される。この場合に、斜張橋の支柱２に斜材３を張設固定するために、予め支柱２には、貫通孔を設けて外筒管１１が配設されており、該外筒管１１の定着端部側に定着板１２と、支持部材１３及び定着ブロック１４とが取り付けられている。
【００２２】
そして、定着ブロック１４には、一条の斜材３を構成するケーブルの本数に対応する貫通孔１４ａが設けられている。また、外筒管１１の内側には、前記支持部材１３に支持された保護管１５が配設され、該保護管１５は前記外筒管１１の１／２以下の長さであり、その自由端部側に止水機構１６が設けられている。
【００２３】
この止水機構１６は、例えばスペーサー１７とゴム等の弾性材１８とから構成され、夫々に定着ブロック１４に設けられている貫通孔１４ａに対応した挿通孔１６ａが設けられている。
【００２４】
交差防止治具４は、前記外筒管１１の定着ブロック１４とは反対側の開口端部側に配設して使用される。即ち、斜材３が張設される前にリードロープ又はリードワイヤー１９を配設する必要があり、そのリードワイヤー１９を適正な状態に支持するために使用するのである。
【００２５】
つまり、リードワイヤー１９は、一条の斜材３を構成する多数本のケーブルが適正な状態で挿通され且つ適正な位置関係（配列と座標）に基づいて定着させるために必要なものであり、予め定着ブロック１４に設けられている貫通孔１４ａから止水機構１６の挿通孔１６ａを通し、外筒管１１の自由端部まで挿通させて引き出しておく必要がある。
【００２６】
ここで使用されるリードワイヤー１９は、一端にケーブルの端部が接続又は連結される連結部２０を有し、多端に把持部２１を有するものであり、外筒管１１の長さに対応して中間部のワイヤーの長さを変えるだけで、種々の長さの外筒管１１に対応させることができる。
【００２７】
予め配設されたリードワイヤー１９は、一方の端部の連結部２０が定着ブロック１４から所定長さ突出して位置しており、その突出状態を維持するために、例えばピン又はクリップ２２等を用いて仮止めしておく。そして、他方の端部の把持部２１は交差防止治具４に設けてある丸孔８の一つに挿通し支持される。
【００２８】
リードワイヤー１９の配設に当たっては、外筒管１１に対して保護管１５を取り付ける前に、保護管１５における止水機構１６の各挿通孔１６ａに、夫々リードワイヤー１９を予め挿通しておき、これらリードワイヤー１９の連結部２０側を定着ブロック１４の貫通孔１４ａに夫々挿通させ、所定長さ突出させた状態でピン又はクリップ２２により仮固定し、支持部材１３に対して定着ブロック１４を例えばボルト２３等により固定する。
【００２９】
この場合に、保護管１５を取り付ける前であるから、地上での作業で目視によりリードワイヤー１９が、止水機構１６の挿通孔１６ａと定着ブロック１４の貫通孔１４ａとに適性な状態、即ち多数本挿通させたリードワイヤー１９が、止水機構１６と定着ブロック１４との間で、交差することなく略平行に挿通しているかどうかを確認することができ、その確認後に保護管１５を外筒管１１内に装着して支持部材１３を定着板１２にボルト２４等により固定する。
【００３０】
この場合に、保護管１５及び定着ブロック１４に対してリードワイヤー１９が正確にセットされたことを確認後に、各リードワイヤー１９の把持部２１に固定ブロック１４の貫通孔１４ａの配列又は座標に従った番号等を付した後に、外筒管１１内に挿着して取り付ける方が良い。
【００３１】
そして、リードワイヤー１９の把持部２１側が、外筒管１１の他方の端部から取り出され、その他方の端部において交差防止治具４の丸孔８に支持させる。この場合に、保護管１５以降においてリードワイヤー１９自体が交差しているかどうかを確認しながら丸孔８に支持させなければならない。
【００３２】
そのために、外筒管１１の他端部において取り出されている多数本のリードワイヤー１９は、その把持部２１に付した配列又は座標の番号等に順じて、１本１本交差していないことを目視により確認しながら丸孔８に挿通支持させる。
【００３３】
この挿通支持作業は、交差防止治具４の下段側から順次行うようにした方が良い。例えば、まず下段の二枚の板材６だけをフレーム５に嵌めて下段の三つの丸孔８だけを形成しておき、両側のフレーム５間の空いている部分から外筒管１１の他端部を覗き込み、リードワイヤー１９の所定の把持部２１を持って、他のリードワイヤーと交差していないかどうか、及び止水機構１６の挿通孔１６ａ及び定着ブロック１４の貫通孔１４ａを透視して適正な状態にあるか否かを確認しながら、下段の３本のリードワイヤー１９を対応する丸孔８に挿通支持させる。
【００３４】
次に、三枚目の板材６をフレーム５に嵌め込み、二列目の丸孔８を形成し、前記同様に外筒管１１の他端部側から内部を覗き込んで、二列目の丸孔８に挿通支持されるリードワイヤー１９が他のリードワイヤーと交差していないかどうかを確認しながら、その把持部２１を対応する丸孔８に挿通支持させるのである。
【００３５】
このような作業を繰り返しながら、順次上段の板材６をフレーム５に嵌め込み各列の丸孔８に、夫々対応するリードワイヤー１９の把持部２１が適正な状態で支持され、定着ブロック１４の貫通孔１４ａから止水機構１６の挿通孔１６ａを介し交差防止治具４に至る全てのリードワイヤー１９が平行状態を維持して挿通されるようになるのである。
【００３６】
特に、定着ブロック１４から止水機構１６に至るリードワイヤー１９は、予め外部において目視により挿通されているので、保護管１５内においては適正な状態に挿通されており、保護管１５以降から外筒管１１の他端部に至る間において交差しないように維持されれば良いのであり、交差防止治具４に挿通支持させる作業は容易に行える。
【００３７】
このように交差防止治具４を使用してリードワイヤー１９を配設しておき、ケーブルを架設する段階で、例えば定着ブロック１４側から一条の斜材３を構成する多数本のケーブルの内、１本づつのケーブル３ａの端部を対応するリードワイヤー１９の連結部２０に連結させ、その連結されたリードワイヤー１９のピン又はクリップ２２を外してから、交差防止治具４側において把持部２１を持って引き出すことにより、ケーブル３ａが定着ブロック１４の貫通孔１４ａから止水機構１６の挿通孔１６ａを通し、交差防止治具４の丸孔８から引き出される。
【００３８】
この作業を各リードワイヤー１９毎に行うことで、全ての貫通孔１４ａ、挿通孔１６ａ及び丸孔８にケーブル３ａが挿通され、しかもこれら挿通されたケーブル３ａは、定着ブロック１４と交差防止治具４との間において全く交差することなく平行に配設される。
【００３９】
そして、ケーブル３ａの後端側は、一般的に行っている楔材を用いて定着ブロック１４の貫通孔１４ａに定着固定され、交差防止治具４から取り出された各ケーブル３ａの先端側は、他方の定着部、即ち、橋桁側の定着部において前記と同様の作業を行って定着固定される。
【００４０】
この場合には、橋桁１側の定着部が前述した支柱２の定着部とは逆方向を向いているので、リードワイヤー１９の向きが前記とは逆であり、交差防止治具４側にリードワイヤー１９の連結部２０が位置し、定着ブロック１４側に把持部２１が位置するように予め挿通しておき、交差防止治具４側においてピン又はクリップ２２で仮固定しておく。
【００４１】
従って、支柱２側から引き出されたケーブル３ａの端部は、橋桁１側においては、交差防止治具４側から挿通されるようになるのであり、前記作業とは逆に、交差防止治具４の丸孔８に挿通してある対応するリードワイヤー１９の連結部２０にケーブル３ａの端部を連結させ、定着ブロック１４側においてそのリードワイヤー１９の把持部２１を引き出し、定着ブロック１４の貫通孔１４ａに挿通させて各ケーブル３ａを架設するのである。
【００４２】
そして、支柱２と橋桁１間におけるケーブル３ａの張設状態は、目視によって交差しているか否かが確認でき、全てのケーブル３ａを張設した後において、前記交差防止治具４が取り外される。この場合には、前記とは逆に係止手段９ａを外し、ストッパー９及び板材６からフレーム５を抜き取ることにより、各段の板材６は簡単に取り外せるのである。
【００４３】
最終的には、一条の斜材３を構成する各ケーブル３ａをバランス良く仕上げ緊張させた後に、外筒管１１の開口部側端部近傍、即ち交差防止治具４が配設されていた位置近傍において、ケーブル３ａを所定の径に絞り込み、その絞り込み部を外筒管１１内にずらして位置させ、外筒管１１の開口部を適宜材料で塞ぐと共に、絞られたケーブル３ａの外周面に保護カバー等を被着させてケーブルの架設が終了する。
【００４４】
【発明の効果】
以上説明したように本発明に係るケーブルの架設方法は、ケーブルが定着される支柱又は橋桁の定着部を、外筒管と絞り部を有しない保護管とで構成し、該保護管の一端部に所定数の貫通孔を有する定着ブロックを配設すると共に他端部に前記貫通孔と対応する挿通孔を有する止水機構を設けた構成とし、これら対応する貫通孔と挿通孔とに夫々所定長さで且つ一端にケーブルの連結部を有するリードワイヤーを挿通させた後に、前記保護管を前記外筒管の一端部から挿着して取り付け、該外筒管の他端部において交差防止治具を用い、挿通されている各リードワイヤーの端部を前記定着ブロックの貫通孔の位置関係に従って支持することにより各リードワイヤーを平行状態に維持して支持させ、各リードワイヤー毎にケーブルを連結させて挿通させるようにしたことにより、架設される多数本のケーブルが定着端部側において、定着ブロックの貫通孔から交差することなく平行に位置するようになり、従来交差によって生じていた、擦れ現象による疲労破断が解消されると言う優れた効果を奏する。
【００４５】
また、保護管に設けた前記止水機構がケーブルの直線状態を保つためのスペーサーと止水を遂行するための弾性体とから構成されていることによって、架設されたケーブルの定着部側が防水状態に維持され、長期に渡っても定着のための裸線部が錆びないと言う優れた効果を奏する。
【００４６】
更に、前記交差防止治具には、複数枚の板材の隣接位置に円弧状の切欠部からなる丸孔を形成したことによって、リードワイヤーの挿通作業が容易であると共に、リードワイヤーによって引き出されたケーブルを交差しないように確実に維持できると言う優れた効果を奏する。
【図面の簡単な説明】
【図１】本発明に係るケーブルの架設方法が適用できる斜張橋の一部を略示的に示した側面図である。
【図２】本発明に係るケーブルの架設方法に使用される交差防止治具の正面図である。
【図３】本発明に係るケーブルの架設方法を説明するための、ケーブルの定着部の要部のみの略示的に示した断面図である。
【符号の説明】
１  橋桁
２  支柱
３  斜材
３ａ  ケーブル
４  交差防止治具
５  フレーム
６  板材
７  溝
８  丸孔
８ａ，８ｂ  切欠部
９  ストッパー
９ａ  係止手段
１０  吊垂紐
１１  外筒管
１２  定着板
１３  支持部材
１４  定着ブロック
１４ａ  貫通孔
１５  保護管
１６  止水機構
１６ａ  挿通孔
１７  スペーサー
１８  弾性材
１９  リードワイヤー
２０  連結部
２１  把持部
２２  ピン又はクリップ
２３，２４  ボルト
【図１】
0003565582.tif 000002
【図２】
0003565582.tif 000003
【図３】
0003565582.tif 000004